(57)【特許請求の範囲】
【請求項１】
ガス排出口を有するハウジングの内部に形成された、ディスク状のガス発生剤がハウジングの軸方向に積層・充填されているか、又は１つの筒状のガス発生剤がハウジングの軸方向に充填されている燃焼室と、前記燃焼室内に配置され、ハウジング底面に固定された点火器を有するガス発生器であり、
前記ガス発生剤が、前記点火器を包囲するようにして充填されており、
前記点火器が、前記ハウジング底面に対して固定部材により固定されており、
前記固定部材が、前記点火器の固定部と、前記固定部からハウジングの半径方向に延ばされた、弾力性を有する複数本の棒状のガス発生剤支持部を有しており、
前記ガス発生剤支持部が、前記ガス発生剤のハウジング底面側の面に当接されており、
前記ガス発生剤が、前記ガス発生剤支持部とハウジング天井面の間で押圧・固定されている、ガス発生器。
【請求項２】
前記固定部材の棒状のガス発生剤支持部が、前記点火器の固定部から延びる第１腕部と、前記第１腕部から延びる第２腕部を有し、さらに前記第１腕部と前記第２腕部の間に折曲部を有しており、
前記折曲部の角部のみがハウジング底面に当接されており、
前記第２腕部のみが前記ガス発生剤のハウジング底面側の面に当接されている、請求項１記載のガス発生器。
【請求項３】
前記固定部材の棒状のガス発生剤支持部が、前記点火器の固定部から延びる第１腕部と、前記第１腕部から延びる第２腕部を有し、前記第１腕部と前記第２腕部の間に折曲部を有し、さらに前記第２腕部から軸方向に延ばされた第３腕部を有しており、
前記折曲部の角部のみが、ハウジング底面に当接されており、
前記第２腕部が、前記ガス発生剤のハウジング底面側の面に当接されており、
前記第３腕部が、前記ガス発生剤のハウジング半径方向の外側面に当接されている、請求項１記載のガス発生器。
【請求項４】
前記固定部材の棒状のガス発生剤支持部が、前記点火器の固定部から延びる第１腕部と、前記第１腕部から延びる第２腕部を有し、前記第１腕部と前記第２腕部の間に折曲部を有し、前記第２腕部から軸方向に延ばされた第３腕部を有し、さらに前記第３腕部からハウジング半径方向内側に延ばされた第４ａ腕部を有しており、
前記折曲部の角部のみが、ハウジング底面に当接されており、
前記第２腕部が、前記ガス発生剤のハウジング底面側の面に当接されており、
前記第３腕部が、前記ガス発生剤のハウジング半径方向の外側面に当接されており、
前記第４ａ腕部が、前記ガス発生剤のハウジング天井面側の面に当接されている、請求項１記載のガス発生器。
【請求項５】
前記固定部材の棒状のガス発生剤支持部が、前記点火器の固定部から延びる第１腕部と、前記第１腕部から延びる第２腕部を有し、前記第１腕部と前記第２腕部の間に折曲部を有し、前記第２腕部から軸方向に延ばされた第３腕部を有し、さらに前記第３腕部からハウジング半径方向外側に延ばされた第４ｂ腕部を有しており、
前記折曲部の角部のみが、ハウジング底面に当接されており、
前記第２腕部が、前記ガス発生剤のハウジング底面側の面に当接されており、
前記第３腕部が、前記ガス発生剤のハウジング半径方向の外側面に当接されており、
前記第４ｂ腕部がハウジング天井面に当接されている、請求項１記載のガス発生器。
【請求項６】
前記ハウジング内に筒状のフィルタが配置され、前記筒状のフィルタ内に前記燃焼室が形成されており、前記ガス発生剤支持部の第４ｂ腕部が、前記筒状フィルタの一端面側とハウジング天井面の両方に接して配置されている、請求項５記載のガス発生器。
【請求項７】
前記固定部材の棒状のガス発生剤支持部が、前記点火器の固定部から延びる第１腕部と、前記第１腕部から延びる第２腕部を有し、さらに前記第１腕部と前記第２腕部の間に湾曲部を有しており、
前記第１腕部と前記第２腕部がハウジング底面に当接されており、
前記湾曲部の曲面のみが前記ガス発生剤のハウジング底面側の面に当接されている、請求項１記載のガス発生器。
【請求項８】
前記固定部材の棒状のガス発生剤支持部が、前記点火器の固定部から延びる第１腕部と、前記第１腕部から延びる第２腕部を有し、前記第１腕部と前記第２腕部の間に湾曲部を有し、さらに前記第２腕部から軸方向に延ばされた第３腕部を有しており、
前記第１腕部と前記第２腕部がハウジング底面に当接されており、
前記湾曲部の曲面のみが前記ガス発生剤のハウジング底面側の面に当接されており、
前記第３腕部が、前記ガス発生剤のハウジング半径方向の外側面に当接されている、請求項１記載のガス発生器。
【請求項９】
前記固定部材の棒状のガス発生剤支持部が、前記点火器の固定部から延びる第１腕部と、前記第１腕部から延びる第２腕部を有し、前記第１腕部と前記第２腕部の間に湾曲部を有し、前記第２腕部から軸方向に延ばされた第３腕部を有し、さらに前記第３腕部のハウジング底面側の部分からハウジング半径外側方向に延ばされた第４ｃ腕部を有しており、
前記第１腕部と前記第２腕部がハウジング底面に当接されており、
前記湾曲部の曲面のみが前記ガス発生剤のハウジング底面側の面に当接されており、
前記第３腕部が前記ガス発生剤のハウジング半径方向の外側面に当接されており、
前記第４ｃ腕部が前記ハウジング底面に当接されている、請求項１記載のガス発生器。
【請求項１０】
前記ハウジング内に筒状のフィルタが配置され、前記筒状のフィルタ内に前記燃焼室が形成されており、
前記固定部材の棒状のガス発生剤支持部が、前記点火器の固定部から延びる第１腕部と、前記第１腕部から延びる第２腕部を有し、前記第１腕部と前記第２腕部の間に湾曲部を有し、前記第２腕部から軸方向に延ばされた第３腕部を有し、前記第３腕部のハウジング底面側の部分からハウジング半径外側方向に延ばされた第４ｃ腕部を有し、さらに前記第４ｃ腕部からハウジング軸方向に延ばされた第４ｄ腕部を有しており、
前記第１腕部と前記第２腕部がハウジング底面に当接されており、
前記湾曲部の曲面のみが前記ガス発生剤のハウジング底面側の面に当接されており、
前記第３腕部が前記ガス発生剤のハウジング半径方向の外側面に当接されており、
前記第３腕部、第４ｃ腕部及び前記第４ｄ腕部により、前記筒状フィルタのハウジング底面側の端面及び周面が支持されている、請求項１記載のガス発生器。
【発明の詳細な説明】
【技術分野】
【０００１】
本発明は、車両の乗員拘束装置等に使用される、固形ガス発生剤を使用したガス発生器に関する。
【背景技術】
【０００２】
エアバッグ装置等人員拘束装置に使用されるガス発生器は、固形ガス発生剤を使用したパイロ式ガス発生器、加圧ガスを使用したストアード式ガス発生器、その両方を式使用したハイブリッド式ガス発生器がある。このうち、軽量化の点で有利であるパイロ式ガス発生器では、ガス発生剤の着火、燃焼を再現性よく発現させるため、ガス発生剤の表面積の管理が厳格に行われている。
【０００３】
ガス発生器は、組立時や運送時に振動等による衝撃が加えられるほか、車両に搭載された後は走行に伴う振動の影響を常に受けることから、それらによって固形ガス発生剤が徐々に粉化されて表面積が増大すると、燃焼性能が変化する。これを回避するために、燃焼室内にガス発生剤に対する衝撃を緩和するためのクッションが配置されている。クッションは、通常、弾力のあるものを使用し、燃焼室に充填されるガス発生剤の量に合せて仕様（厚み、枚数など）が変えられる。
【０００４】
特許文献１には、ディスク状のガス発生剤１１０の上部に環状のクッション１２０が配置されたものが開示されている。クッション１２０は、弾性変形した状態で、キャニスターカバー７８と最上段のディスク１１０Ｕとの間に配置されている。クッション１２０は、配置される前は図３に示すようにテーパー状であり、配置されると図２に示すように曲折部１３４で折り曲げられ、その軸４０方向の厚みが小さくなるようにして取り付けられている。
【０００５】
特許文献１では、クッション１２０は別部材となっており、組立時において、ガス発生剤１１０の充填後にキャニスター内に配置されるものであるが、その組み入れる向きを間違えたり、組み込み忘れたり、組立時に外れて落ちたりするおそれもある。
【先行技術文献】
【特許文献】
【０００６】
【特許文献１】米国特許５，６２５，１６４号公報
【発明の概要】
【発明が解決しようとする課題】
【０００７】
本発明は、組み付け違いや組み忘れの発生がなく、組立作業時も外れて落ちたりしないことから、組立が容易であるガス発生器を提供することを課題とする。
【課題を解決するための手段】
【０００８】
〔請求項１〕
本願発明は、課題の解決手段として、
ガス排出口を有するハウジングの内部に形成された、ディスク状のガス発生剤がハウジングの軸方向に積層・充填されているか、又は１つの筒状のガス発生剤がハウジングの軸方向に充填されている燃焼室と、前記燃焼室内に配置され、ハウジング底面に固定された点火器を有するガス発生器であり、
前記ガス発生剤が、前記点火器を包囲するようにして充填されており、
前記点火器が、前記ハウジング底面に対して固定部材により固定されており、
前記固定部材が、前記点火器の固定部と、前記固定部からハウジングの半径方向に延ばされた、弾力性を有する複数本の棒状のガス発生剤支持部を有しており、
前記ガス発生剤支持部が、前記ガス発生剤のハウジング底面側の面に当接されており、
前記ガス発生剤が、前記ガス発生剤支持部とハウジング天井面の間で押圧・固定されている、ガス発生器を提供する。
【０００９】
本発明のガス発生器は、ガス発生剤を支持する機能を有している特定形状の点火器の固定部材を用いることにより、ハウジングに対して点火器を固定することで、同時にガス発生剤の支持部材も取り付けられるようにしたものである。特許文献１のように、別途、ガス発生剤の支持部材を取り付ける必要がないため、工数も削減でき、組立作業も容易になり、ガス発生剤の支持部材の取り付け忘れもなくなる。
【００１０】
本発明のガス発生器は、ガス発生剤の種類（燃焼温度や燃焼残渣の発生量）に応じて、公知のガス発生器で使用されている筒状フィルタを配置することができる。筒状フィルタを使用したときは、筒状フィルタの両端面がハウジング天井面と底面に当接されることになり、筒状フィルタ、ハウジング天井面及びハウジング底面で囲まれた空間が燃焼室となる。
【００１１】
固定部材のガス発生剤支持部は棒状であるが、「棒状」は細長い部材であることを意味するものであり、幅方向の断面形状は制限されず、円形、楕円形、多角形にすることができ、全体が細長い板状のもののほか、少なくともガス発生剤を支持する部分が板状であるものが好ましい。また、ガス発生剤支持部が棒状であることにより、従来のガス発生器で使用されている、ガス発生剤の量に応じて燃焼室の容量を調整するためのリテーナと比べると軽量化ができる点でも好ましい。
【００１２】
棒状のガス発生剤支持部は、弾力性を有する材料からなるものであり、樹脂や金属製にすることができるが、固定部材の固定部と一体成形することが容易であることから、樹脂製であることが好ましい。樹脂は、特開２００３−１６１５９９号公報の段落番号００２０に記載されたもの等を用いることができ、ナイロン樹脂が好ましい。
【００１３】
棒状のガス発生剤支持部が板状である場合、幅は２〜８ｍｍ程度、厚みは０．５〜３ｍｍ程度にすることができる。
【００１４】
ガス発生剤支持部は２〜４本が等間隔で形成されていることが好ましく、２本が固定部を挟んで互いに正対する位置に形成されていることが好ましい。
【００１５】
ガス発生剤はディスク状であればよく、１枚の厚みや積層枚数は制限されない。ガス発生剤の平面形状は、ハウジング形状や内部構造に応じて適宜決定することができるが、点火器を包囲するように配置することが容易であることから、ドーナツ状であることが好ましい。またガス発生剤は、１つの筒状のガス発生剤のみを用いてもよい。
【００１６】
本発明のガス発生器では、ガス発生剤支持部が、ガス発生剤のハウジング底面側の面に当接され、ガス発生剤支持部により前記当接面が押圧されている（軸方向に圧力が加わるように押しつけられている）ため、ガス発生剤はハウジング天井面に対して押圧されて固定されている。なお、ガス発生剤支持部のガス発生剤に対する圧力を緩和して、当接面におけるガス発生剤の粉化の防止力を高めるため、ガス発生剤支持部とガス発生剤との間に燃焼可能なシートを配置してもよい。以下の各発明においても同様に配置することができる。
【００１７】
〔請求項２〕
本願発明は、課題の解決手段として、
前記固定部材の棒状のガス発生剤支持部が、前記点火器の固定部から延びる第１腕部と、前記第１腕部から延びる第２腕部を有し、さらに前記第１腕部と前記第２腕部の間に折曲部を有しており、
前記折曲部の角部のみがハウジング底面に当接されており、
前記第２腕部のみが前記ガス発生剤のハウジング底面側の面に当接されている、請求項１記載のガス発生器を提供する。
【００１８】
ガス発生剤支持部が、第１腕部、折曲部、第２腕部からなり、折曲部がハウジング底面に当接されていることにより、さらにガス発生剤支持部の弾力性を高めることができる。
【００１９】
第１腕部と第２腕部で形成される折曲部の角度（ハウジング天井面側の角度）は、第１腕部と第２腕部の長さの比率等により変化するものであるが、弾力性を高める観点から、１０〜１６０°の範囲から選択することができる。
【００２０】
第２腕部のみがガス発生剤に接触しているため、ガス発生剤支持部とガス発生剤との接触面積が小さくなる。この観点からは、第２腕部の先端部のみがガス発生剤と接触していることが好ましい。
【００２１】
〔請求項３〕
本願発明は、課題の解決手段として、
前記固定部材の棒状のガス発生剤支持部が、前記点火器の固定部から延びる第１腕部と、前記第１腕部から延びる第２腕部を有し、前記第１腕部と前記第２腕部の間に折曲部を有し、さらに前記第２腕部から軸方向に延ばされた第３腕部を有しており、
前記折曲部の角部のみが、ハウジング底面に当接されており、
前記第２腕部が、前記ガス発生剤のハウジング底面側の面に当接されており、
前記第３腕部が、前記ガス発生剤のハウジング半径方向の外側面に当接されている、請求項１記載のガス発生器を提供する。
【００２２】
ガス発生剤支持部は、第１腕部、折曲部、第２腕部、第３腕部からなっている。そして、折曲部がハウジング底面に当接されていることにより、さらにガス発生剤支持部の弾力性を高めることができ、さらに第３腕部が、ガス発生剤の半径方向の外側面に当接されていることで、よりガス発生剤の支持作用が高められている。
【００２３】
〔請求項４〕
本願発明は、課題の解決手段として、
前記固定部材の棒状のガス発生剤支持部が、前記点火器の固定部から延びる第１腕部と、前記第１腕部から延びる第２腕部を有し、前記第１腕部と前記第２腕部の間に折曲部を有し、前記第２腕部から軸方向に延ばされた第３腕部を有し、さらに前記第３腕部からハウジング半径方向内側に延ばされた第４ａ腕部を有しており、
前記折曲部の角部のみが、ハウジング底面に当接されており、
前記第２腕部が、前記ガス発生剤のハウジング底面側の面に当接されており、
前記第３腕部が、前記ガス発生剤のハウジング半径方向の外側面に当接されており、
前記第４ａ腕部が、前記ガス発生剤のハウジング天井面側の面に当接されている、請求項１記載のガス発生器を提供する。
【００２４】
ガス発生剤支持部は、第１腕部、折曲部、第２腕部、第３腕部、第４ａ腕部からなっている。そして、折曲部がハウジング底面に当接されていることにより、さらにガス発生剤支持部の弾力性を高めることができ、第３腕部が、ガス発生剤のハウジング半径方向（ハウジング軸方向に直交する方向）の外側面に当接されていることで、よりガス発生剤の支持作用が高められている。さらに第４ａ腕部が、前記ガス発生剤のハウジング天井面側の面に当接されていることで、よりガス発生剤の支持作用が高められている。
【００２５】
〔請求項５〕
本願発明は、課題の解決手段として、
前記固定部材の棒状のガス発生剤支持部が、前記点火器の固定部から延びる第１腕部と、前記第１腕部から延びる第２腕部を有し、前記第１腕部と前記第２腕部の間に折曲部を有し、前記第２腕部から軸方向に延ばされた第３腕部を有し、さらに前記第３腕部からハウジング半径方向外側に延ばされた第４ｂ腕部を有しており、
前記折曲部の角部のみが、ハウジング底面に当接されており、
前記第２腕部が、前記ガス発生剤のハウジング底面側の面に当接されており、
前記第３腕部が、前記ガス発生剤のハウジング半径方向の外側面に当接されており、
前記第４ｂ腕部がハウジング天井面に当接されている、請求項１記載のガス発生器を提供する。
【００２６】
ガス発生剤支持部は、第１腕部、折曲部、第２腕部、第３腕部、第４ｂ腕部からなっている。そして、折曲部がハウジング底面に当接されていることにより、さらにガス発生剤支持部の弾力性を高めることができ、第３腕部が、ガス発生剤の半径方向の外側面に当接されていることで、よりガス発生剤の支持作用が高められている。
さらに第４ｂ腕部がハウジング天井面に当接されていることで、ガス発生剤支持部自体の固定強度が高められており、それにより、ガス発生剤支持部全体によるガス発生剤の支持強度が高められている。
【００２７】
〔請求項６〕
本願発明は、課題の解決手段として、
前記ハウジング内に筒状のフィルタが配置され、前記筒状のフィルタ内に前記燃焼室が形成されており、前記ガス発生剤支持部の第４ｂ腕部が、前記筒状フィルタの一端面側とハウジング天井面の両方に接して配置されている、請求項５記載のガス発生器を提供する。
【００２８】
筒状フィルタを必須にしたガス発生器であり、このとき、筒状フィルタ、ハウジング天井面及びハウジング底面で囲まれた空間が燃焼室となる。そして、ガス発生剤支持部の第４ｂ腕部が、筒状フィルタの一端面側とハウジング天井面の両方に接して配置されていることにより、ガス発生剤支持部自体の固定強度が高められており、それにより、ガス発生剤支持部全体によるガス発生剤の支持強度が高められている。
【００２９】
〔請求項７〕
本願発明は、課題の解決手段として、
前記固定部材の棒状のガス発生剤支持部が、前記点火器の固定部から延びる第１腕部と、前記第１腕部から延びる第２腕部を有し、さらに前記第１腕部と前記第２腕部の間に湾曲部を有しており、
前記第１腕部と前記第２腕部がハウジング底面に当接されており、
前記湾曲部の曲面のみが前記ガス発生剤のハウジング底面側の面に当接されている、請求項１記載のガス発生器を提供する。
【００３０】
ガス発生剤支持部が、第１腕部、湾曲部、第２腕部からなり、第１腕部と第２腕部がハウジング底面に当接することでガス発生剤支持部自体が支持されており、さらに湾曲部の曲面のみがガス発生剤のハウジング底面側の面に当接されていることにより、前記当接面が軸方向（ハウジング天井面方向）に押圧されている。
【００３１】
湾曲部の曲面のみがガス発生剤に接触しているため、ガス発生剤支持部とガス発生剤との接触面積が小さくなる点でも好ましい。
【００３２】
〔請求項８〕
本願発明は、課題の解決手段として、
前記固定部材の棒状のガス発生剤支持部が、前記点火器の固定部から延びる第１腕部と、前記第１腕部から延びる第２腕部を有し、前記第１腕部と前記第２腕部の間に湾曲部を有し、さらに前記第２腕部から軸方向に延ばされた第３腕部を有しており、
前記第１腕部と前記第２腕部がハウジング底面に当接されており、
前記湾曲部の曲面のみが前記ガス発生剤のハウジング底面側の面に当接されており、
前記第３腕部が、前記ガス発生剤のハウジング半径方向の外側面に当接されている、請求項１記載のガス発生器を提供する。
【００３３】
ガス発生剤支持部が、第１腕部、湾曲部、第２腕部、第３腕部からなり、第１腕部と第２腕部がハウジング底面に当接することでガス発生剤支持部自体が支持されており、湾曲部の曲面のみがガス発生剤のハウジング底面側の面に当接されていることにより、前記当接面が押圧されている。
さらに第３腕部が、ガス発生剤のハウジング半径方向（ハウジング軸方向に直交する方向）の外側面に当接されていることで、よりガス発生剤の支持作用が高められている。
【００３４】
〔請求項９〕
本願発明は、課題の解決手段として、
前記固定部材の棒状のガス発生剤支持部が、前記点火器の固定部から延びる第１腕部と、前記第１腕部から延びる第２腕部を有し、前記第１腕部と前記第２腕部の間に湾曲部を有し、前記第２腕部から軸方向に延ばされた第３腕部を有し、さらに前記第３腕部のハウジング底面側の部分からハウジング半径外側方向に延ばされた第４ａ腕部を有しており、
前記第１腕部と前記第２腕部がハウジング底面に当接されており、
前記湾曲部の曲面のみが前記ガス発生剤のハウジング底面側の面に当接されており、
前記第３腕部が前記ガス発生剤のハウジング半径方向の外側面に当接されており、
前記第４ａ腕部が前記ハウジング底面に当接されている、請求項１記載のガス発生器を提供する。
【００３５】
ガス発生剤支持部が、第１腕部、湾曲部、第２腕部、第３腕部、第４ａ腕部からなり、第１腕部と第２腕部がハウジング底面に当接することでガス発生剤支持部自体が支持されており、湾曲部の曲面のみがガス発生剤のハウジング底面側の面に当接されていることにより、前記当接面が押圧されている。第３腕部が、ガス発生剤のハウジング半径方向の外側面に当接されていることで、よりガス発生剤の支持作用が高められている。
さらに第４ａ腕部がハウジング底面に当接されているため、ガス発生剤支持部とハウジングとの接触面積が増加され、ガス発生剤支持部自体の固定強度が高められており、それにより、ガス発生剤支持部によるガス発生剤の支持強度が高められている。
【００３６】
〔請求項１０〕
本願発明は、課題の解決手段として、
前記ハウジング内に筒状のフィルタが配置され、前記筒状のフィルタ内に前記燃焼室が形成されており、
前記固定部材の棒状のガス発生剤支持部が、前記点火器の固定部から延びる第１腕部と、前記第１腕部から延びる第２腕部を有し、前記第１腕部と前記第２腕部の間に湾曲部を有し、前記第２腕部から軸方向に延ばされた第３腕部を有し、前記第３腕部のハウジング底面側の部分からハウジング半径外側方向に延ばされた第４ａ腕部を有し、さらに前記第４ａ腕部からハウジング軸方向に延ばされた第４ｂ腕部を有しており、
前記第１腕部と前記第２腕部がハウジング底面に当接されており、
前記湾曲部の曲面のみが前記ガス発生剤のハウジング底面側の面に当接されており、
前記第３腕部が前記ガス発生剤のハウジング半径方向の外側面に当接されており、
前記第３腕部、第４ａ腕部及び前記第４ｂ腕部により、前記筒状フィルタのハウジング底面側の端面及び周面が支持されている、請求項１記載のガス発生器を提供する。
【００３７】
ガス発生剤支持部が、第１腕部、湾曲部、第２腕部、第３腕部、第４ａ腕部、第４ｂ腕部からなっている。第１腕部と第２腕部がハウジング底面に当接することでガス発生剤支持部自体が支持されており、湾曲部の曲面のみがガス発生剤のハウジング底面側の面に当接されていることにより、前記当接面が押圧されている。第３腕部が、ガス発生剤のハウジング半径方向の外側面に当接されていることで、よりガス発生剤の支持作用が高められている。
さらに第４ａ腕部がハウジング底面に当接されているため、ガス発生剤支持部とハウジングとの接触面積が増加され、ガス発生剤支持部自体の固定強度が高められており、それにより、ガス発生剤支持部によるガス発生剤の支持強度が高められている。
さらに第３腕部、第４ａ腕部及び第４ｂ腕部により、筒状フィルタのハウジング底面側の端面が支持されていることにより、フィルタの支持作用が高められている。
【発明の効果】
【００３８】
本発明のガス発生器によれば、ガス発生剤の保持性能を維持しながら部品点数が低減できること、および組みつけが容易に行えることから、製造が行いやすく、また性能が安定したガス発生器を提供することが出来る。
【図面の簡単な説明】
【００３９】
【図１】本発明のガス発生器の軸方向断面図。
【図２】図１で使用した点火器固定部材の斜視図。
【図３】図２とは異なる実施形態の点火器固定部材の斜視図。
【図４】図１とは異なる実施形態のガス発生器の軸方向断面図。
【図５】図１とは異なる実施形態のガス発生器の軸方向断面図。
【図６】図１とは異なる実施形態のガス発生器の軸方向断面図。
【発明を実施するための形態】
【００４０】
（１）図１のガス発生器
図１は、本発明の一実施形態であるエアバッグ用ガス発生器の軸方向断面図であり、図２で示す点火器固定部材を使用している。
【００４１】
図１に示すガス発生器は、ハウジング１３がディフューザシェル１１とクロージャシェル１２から形成されている。
【００４２】
ディフューザシェル１１は、鉄製の板をプレスにより成形してなり、天井面（ハウジング天井面）１８と、その外周部に形成される周壁部１９と、その先端部に半径方向外側に延在するフランジ部１１ａを有している。周壁部１９には、ガス排出口２１が周方向に等間隔に複数個配設されている。ガス排出口２１は、作動前にはシールテープにより内側から閉塞されている。
【００４３】
クロージャシェル１２は、鉄製の板をプレスにより成形してなり、底面（ハウジング底面）２２と、その外周部に形成される周壁部２３と、その先端部に半径方向外側に延在するフランジ部１２ａを有している。ハウジング底面２２には段差２４が形成されており、段差２４を境にして、中央部の円形底面２２ａと環状底面２２ｂに分けられている。円形底面２２ａには、中央孔２５が形成されており、点火器１６は、固定部材２６により円形底面２２ａに固定されている。
【００４４】
ディフューザシェル１１とクロージャシェル１２は、それぞれのフランジ部１１ａ、１２ａが重ね合わされて溶接されている。
【００４５】
フィルタ１５は筒状であり、中央孔２５と同心に配置されている。フィルタ１５の下端内周縁１５ａは、クロージャシェル１２の段差２４に当接され、位置が固定されている。フィルタは公知のものが使用され、ハウジング１３の周壁部１９、２３との間に間隙２７が形成されるように配置されている。フィルタ１５の外側には、多孔を有する筒状のフィルタ押さえ部材２４が配置されている。なお、ガス発生剤１７が、燃焼温度が低く、燃焼残渣が発生しにくいものであれば、フィルタ１５とフィルタ押さえ部材２４を省略することもできる。
【００４６】
燃焼室１４は、ハウジング１３とフィルタ１５に囲まれており、内部には、点火器１６とドーナツ状の固形ガス発生剤１７が含まれている。
【００４７】
点火器１６は、センサ（図示せず）からの信号により作動する慣用の電気式点火器からなっている。また、特開平８−１８３４１８号公報で示されるような、電気式点火器と伝火薬が一体になったものを使用してもよい。
【００４８】
ドーナツ状のガス発生剤１７は、複数枚が重ねられた状態で充填されている。複数のガス発生剤１７の孔で形成される筒状空間内に、点火器１６が嵌め込まれた状態になっている（即ち、ガス発生剤１７が点火器１６を包囲するように配置されている）。
【００４９】
フィルタ１５の両端面は、ハウジング天井面１８とハウジング底面２２（環状底面２２ｂ）に隙間なく当接されているが、必要に応じて、前記当接面に公知のシール手段を介在させて、ショートパス防止作用を高めることもできる。
【００５０】
固定部材２６は、固定部２６ａ、細長い板状のガス発生剤支持部２６ｂと、点火器１６に接続されるコネクターを受け入れるコネクター受容部２６ｃを有しており、ナイロン樹脂を射出成形することにより、点火器１６を固定した状態で一体成形され、中央孔２５に対して固定されている。
【００５１】
ガス発生剤支持部２６ｂは、固定部２６ａからハウジング底面２２側に延びる第１腕部２８と、第１腕部２８からハウジング天井面１８側に延びる第２腕部２９を有しており、第１腕部２８と第２腕部２９の間に折曲部３０を有している。
【００５２】
第１腕部２８と第２腕部２９は、固定部２６ａを挟んで正対する方向に形成されている。第１腕部２８と第２腕部２９で形成される折曲部３０の角度α（ハウジング天井面１８側の角度）は１００〜１６０°の範囲である。
【００５３】
第１腕部２８と第２腕部２９の長さは同一でも異なっていても良く、それらの長さ比率を調整することで、折曲部３０の角度を調整することができる。図１に示す第１腕部２８の長さは２〜３０ｍｍ、第２腕部２９の長さは２〜３０ｍｍであり、いずれも厚みは０．５〜３ｍｍ、幅は２〜８ｍｍである。
【００５４】
ガス発生剤支持部２６ｂは、折曲部３０の角部のみがハウジング円形底面２２ａに当接されており、第２腕部２９の先端部２９ａのみが最下層（最もハウジング底面２２に近い層）のガス発生剤１７ｂの表面に当接されている。このとき、第２腕部の先端部２９ａは、ガス発生剤支持部２６ｂが有している弾性により、ガス発生剤１７ｂの表面を軸方向（ハウジング天井面１８方向）に押圧しているので、最上層のガス発生剤１７ａもハウジング天井面１８に押圧されている。このため、ガス発生剤支持部２６ｂが２本であっても、ガス発生剤１７は燃焼室１４内で固定されている。
【００５５】
図１において、第１腕部２８がハウジング底面２２側に延ばされ、折曲部３０がハウジング円形底面２２ａに当接され、さらに折曲部３０の角度αが１０〜９０°未満、好ましくは１０〜４０°になるように第２腕部２９を折り返すこともできる。この実施形態でも、第２腕部２９の先端部２９ａがガス発生剤１７ｂの表面に当接されることになる。但し、第２腕部２９の当接部分は、図１に示す状態の先端部の裏面となる。
【００５６】
さらに図１において、第１腕部２８がハウジング天井面１８側に延ばされ、第２腕部２９がハウジング底面２２側に延ばされ、間に折曲部３０が形成された実施形態にすることもできる。この実施形態では、折曲部３０の角部がガス発生剤１７ｂの表面に当接され、第２腕部２９の先端部２９ａがハウジング底面２２に当接されることになる。
【００５７】
図１に示すガス発生器を組み立てるときは、次の手順による。
まず、クロージャシェル１２の孔２５に対して点火器１６と固定部材２６を樹脂で一体化して取り付ける。
その後、水平面上にハウジング底面２２を下にしてクロージャシェル１２を置く。
その後、フィルタ１５を所定位置に置き、その内側の空間にガス発生剤１７を積層・充填する。このとき、ガス発生剤１７ｂが第２腕部２９の先端部２９ａと接触している。
その後、ディフューザシェル１１を被せ、フランジ部１１ａ、１２ａを溶接する。この工程の終了時には、積層・充填されたガス発生剤１７は、ガス発生剤支持部材２６ｂ（第２腕部２９）とハウジング天井面１８により、両側（図面では上下方向）から押圧された状態で固定されることになる。
【００５８】
ガス発生剤支持部２６ｂは、従来のクッション部材に相当する作用をなすものであるが、従来のクッション部材と異なり、固定部材２６と一体に形成されている。このため、従来のような別体部品を使用する場合と比較して、組み付け忘れや、組み付け向きの誤りが発生することがない。さらに組立作業途中でクロージャシェル１２を逆さにしたときでも固定部材２６が外れることがなく、ガス発生器の組立が容易となる。
【００５９】
図１に示すガス発生器では、衝撃をセンサ（図示せず）からの信号で点火器１６が作動し、ガス発生剤１７が点火、燃焼を開始する。そこから発生する高温の燃焼ガスは、フィルタ１５を通過して冷却、ろ過されて、間隙２７からガス排出口２１を通って排出される。
【００６０】
（２）図３で示す固定部材
図３は、図２で示される固定部材２６の別実施形態を示す斜視図である。
固定部材１２６は、図２に示す固定部材２６と同様に、固定部１２６ａ、細長い板状のガス発生剤支持部１２６ｂと、点火器１６に接続されるコネクターを受け入れるコネクター受容部（図示せず）を有している。
【００６１】
ガス発生剤支持部１２６ｂは、固定部１２６ａからハウジング底面２２側に延びる第１腕部１２８と、第１腕部１２８からハウジング天井面１８（図１参照）側に延びる第２腕部１２９を有しており、第１腕部１２８と第２腕部１２９の間に折曲部１３０を有している。そして、第２腕部１２９から軸方向（図１に示すと同様にガス発生器に取り付けたときのハウジング天井面１８方向）に延ばされた第３腕部１３１を有している。図３では、第２腕部１２９と第３腕部１３１の間に短い接続部（第２腕部１２９の先端部）１３２が形成されており、この接続部１３２がガス発生剤１７ｂへの当接部となる。
【００６２】
図３で示す固定部材１２６を図１に示す固定部材２６と同様にして取り付けたとき、第３腕部１３１は、ガス発生剤１７の側面２０に当接されることで、ガス発生剤１７全体を支持するように作用する。
【００６３】
また、図３に示すようにして、ガス発生剤１７が第３腕部１３１と接触する部分に切り欠き１３８を形成しておくと、第３腕部１３１によるガス発生剤１７の支持作用が高められるので好ましい。
【００６４】
（３）図４で示すガス発生器
図４は、図３の固定部材１２６を改良した別の固定部材２２６の実施形態を示す。
【００６５】
固定部材２２６は、固定部２２６ａ、細長い板状のガス発生剤支持部２２６ｂと、点火器１６に接続されるコネクターを受け入れるコネクター受容部２２６ｃを有している。
【００６６】
ガス発生剤支持部２２６ｂは、固定部２２６ａからハウジング底面２２側に延びる第１腕部２２８と、第１腕部２２８からハウジング天井面１８側に延びる第２腕部２２９を有しており、第１腕部２２８と第２腕部２２９の間に折曲部２３０を有している。
【００６７】
そして、第２腕部２２９から軸方向（ハウジング天井面１８方向）に延ばされた第３腕部２３１を有している。図４では、第２腕部２２９と第３腕部２３１の間に短い接続部（第２腕部２２９の先端部）２３２が形成されており、この接続部２３２がガス発生剤１７ｂへの当接部となる。
【００６８】
図４に示す固定部材２２６は、さらに第３腕部２３１からハウジング半径方向内側に延ばされた第４ａ腕部２３３を有している。第４ａ腕部２３３は、最上層のガス発生剤１７ａとハウジング天井面１８との間に挿入されている。
【００６９】
図４で示す固定部材２２６を使用することで、積層・充填されたガス発生剤１７は、ガス発生支持部材２２６ａの接続部（第２腕部２２９の先端部）２３２と第４ａ腕部２３３により、両側（図面では上下方向）から押圧された状態で固定されると共に、第３腕部２３１により、ガス発生剤１７の側面２０が支持されることになる。
【００７０】
（４）図５で示すガス発生器
図５は、図３の固定部材１２６を改良した別の固定部材３２６の実施形態を示す。
【００７１】
固定部材３２６は、固定部３２６ａ、細長い板状のガス発生剤支持部３２６ｂと、点火器１６に接続されるコネクターを受け入れるコネクター受容部３２６ｃを有している。
【００７２】
ガス発生剤支持部３２６ｂは、固定部３２６ａからハウジング底面２２側に延びる第１腕部３２８と、第１腕部３２８からハウジング天井面１８側に延びる第２腕部３２９を有しており、第１腕部３２８と第２腕部３２９の間に折曲部３３０を有している。
【００７３】
そして、第２腕部３２９から軸方向（ハウジング天井面１８方向）に延ばされた第３腕部３３１を有している。図５では、第２腕部３２９と第３腕部３３１の間に短い接続部（第２腕部３２９の先端部）３３２が形成されており、この接続部３３２がガス発生剤１７ｂへの当接部となる。
【００７４】
図５に示す固定部材３２６は、さらに第３腕部３３１からハウジング半径方向外側に延ばされた第４ｂ腕部３３４を有している。第４ｂ腕部３３４は、フィルタ１５の端面１５ｃとハウジング天井面１８との間に挿入されている。
【００７５】
図５で示す固定部材３２６を使用することで、積層・充填されたガス発生剤１７は、ガス発生支持部３２６ｂの接続部（第２腕部３２９の先端部）３３２とハウジング天井面１８により、両側（図面では上下方向）から押圧された状態で固定されると共に、第３腕部３３１により、ガス発生剤１７の側面２０が支持されることになる。
【００７６】
（５）図６で示すガス発生器
図６は、図１〜図５で示す固定部材とは異なる実施形態の固定部材を使用したガス発生器である。
【００７７】
固定部材４２６は、固定部４２６ａ、細長い板状のガス発生剤支持部４２６ｂと、点火器１６に接続されるコネクターを受け入れるコネクター受容部４２６ｃを有している。
【００７８】
ガス発生剤支持部４２６ｂは、固定部４２６ａから延びる第１腕部４２８と第２腕部４２９を有しており、第１腕部４２８と第２腕部４２９の間に湾曲部４３０を有している。
【００７９】
そして、第２腕部４２９から軸方向に延ばされた第３腕部４３１を有し、第３腕部４３１のハウジング底面２２側の部分からハウジング半径外側方向に延ばされた第４ｃ腕部４３２を有し、さらに第４ｃ腕部４３２からハウジング軸方向に延ばされた第４ｄ腕部４３３を有している。第２腕部４２９、第４ｃ腕部４３２のハウジング底面２２（円形底部２２ａ、段差２４、環状底面２２ｂ）と接触する部分は、ハウジング底面２２の形状と一致した形状になっている。
【００８０】
第１腕部４２８、第２腕部４２９がハウジング底面に当接されており、湾曲部４３０の曲面のみがガス発生剤１７ｂの表面に当接され、第３腕部４３１がガス発生剤１７ａの外側面２０に当接されている。さらに第３腕部４３１、第４ｃ腕部４３２及び第４ｄ腕部４３３により、筒状フィルタ１５が端面１５ｂ側で支持されている。
【００８１】
図６で示す固定部材４２６を使用することで、積層・充填されたガス発生剤１７は、ガス発生支持部材４２６ｂの湾曲部４３０の曲面とハウジング天井面１８により、両側（図面では上下方向）から押圧された状態で固定されると共に、第３腕部４３１により、ガス発生剤１７の側面２０が支持されることになる。
【００８２】
さらに、第４ｃ腕部４３２がフィルタ端面１５ｂとハウジング底面２２で挟み込まれて固定された状態になっているので、ガス発生支持部材４２６ｂ全体の固定強度が高められていることから、ガス発生剤１７の支持強度も高められる。そして、第３腕部４３１、第４ｃ腕部４３２及び第４ｄ腕部４３３によりフィルタ端面１５ｂが支持されていることにより、フィルタの支持作用が高められている。
【００８３】
以上の実施形態では、いずれもフィルタを用いたガス発生器への使用例を示したが、本発明の目的であるガス発生剤の保持という観点から、従来のフィルタやクーラントを使用しないパイロ式ガス発生器にも実施することができる。
【符号の説明】
【００８４】
１１  ディフューザシェル
１２  クロージャシェル
１３  ハウジング
１４  燃焼室
１５  筒状フィルタ
１６  点火器
１７、１７ａ、１７ｂ  ガス発生剤
２１  ガス排出口
２６  点火器固定部材
２６ａ  固定部
２６ｂ  ガス発生剤支持部
２６ｃ  コネクター受容部
２８  第１腕部
２９  第２腕部
３０  折曲部
【図１】
0005638811.tif 000002
【図２】
0005638811.tif 000003
【図３】
0005638811.tif 000004
【図４】
0005638811.tif 000005
【図５】
0005638811.tif 000006
【図６】
0005638811.tif 000007